(57)【要約】【課題】位相エンコード方向の勾配が不安定な場合であっても、ボケた画像が生成されることを防止し、画像品質を向上させる。【解決手段】ＰＲＯＰＥＬＬＥＲ  ＭＲイメージング法に基づいて、ｋ空間ｋｓのブレードｂにおいて複数のトラジェクトリｔｊに対応する磁気共鳴信号を第１のトラジェクトリ順序Ｐ１で繰り返し時間ＴＲ内に得る第１スキャンと、第１のトラジェクトリ順序Ｐ１と逆の第２のトラジェクトリ順序Ｐ２で複数のトラジェクトリｔｊに対応する磁気共鳴信号を繰り返し時間ＴＲ内に得る第２スキャンとを順次実施する。そして、第１スキャンと第２スキャンとにより得られた磁気共鳴信号を互いに対応するように、データ処理部３１が加算して加算データを生成後、その生成した加算データに基づいて、データ処理部３１が被検体の画像を生成する。【選択図】図２
2006304955.tif 000002
【特許請求の範囲】
【請求項１】
ＰＲＯＰＥＬＬＥＲ  ＭＲイメージング法によって、静磁場空間内の被検体からの磁気共鳴信号を得るスキャンを実施し、前記スキャンの実施により得られる前記磁気共鳴信号に基づいて前記被検体の画像を生成する磁気共鳴イメージング装置であって、
ｋ空間のブレードにおいて複数のトラジェクトリに対応する磁気共鳴信号を第１のトラジェクトリ順序で繰り返し時間内に得る第１スキャンと、前記第１のトラジェクトリ順序と逆の第２のトラジェクトリ順序で前記複数のトラジェクトリに対応する磁気共鳴信号を繰り返し時間内に得る第２スキャンとを前記スキャンとして前記ＰＲＯＰＥＬＬＥＲ  ＭＲイメージング法に基づいて前記繰り返し時間で順次繰り返して実施するスキャン部と、
前記第１スキャンにより得られた前記磁気共鳴信号と、前記第２スキャンにより得られた前記磁気共鳴信号とを互いに対応するように加算して加算データを生成した後に、前記生成した加算データに基づいて、前記被検体の画像を生成する画像生成部と
を有する
磁気共鳴イメージング装置。
【請求項２】
前記スキャン部は、前記第１スキャンを前記ｋ空間に対応するように実施した後に、前記第２スキャンを前記ｋ空間に対応するように実施する
請求項１に記載の磁気共鳴イメージング装置。
【請求項３】
前記スキャン部は、前記第１スキャンと前記第２スキャンとを前記繰り返し時間ごとに交互に前記ｋ空間に対応するように順次実施する
請求項１に記載の磁気共鳴イメージング装置。
【発明の詳細な説明】
【技術分野】
【０００１】
本発明は、磁気共鳴イメージング装置に関し、特に、ＰＲＯＰＥＬＬＥＲ（Ｐｅｒｉｄｄｉｃａｌｌｙ  Ｒｏｔａｔｅｄ  Ｏｖｅｒｌａｐｐｉｎｇ  ＰａｒａｌｌＥＬ  Ｌｉｎｅｓ  ｗｉｔｈ  Ｅｎｈａｎｃｅｄ  Ｒｅｃｏｎｓｔｒｕｃｔｉｏｎ）  ＭＲイメージング法によって、静磁場空間内の被検体からの磁気共鳴信号を得るスキャンを実施し、そのスキャンの実施により得られる磁気共鳴信号に基づいて被検体の画像を生成する磁気共鳴イメージング装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置は、核磁気共鳴（ＮＭＲ：Ｎｕｃｌｅａｒ  Ｍａｇｎｅｔｉｃ  Ｒｅｓｏｎａｎｃｅ）現象を利用して、被検体の断層面についての画像を撮影する装置として知られており、医療用途、産業用途などのさまざまな分野において利用されている。
【０００３】
磁気共鳴イメージング装置を用いて被検体の断層画像を撮影する際においては、まず、静磁場が形成された撮影空間内に被検体を収容し、被検体内のプロトン（ｐｒｏｔｏｎ）のスピンの方向を静磁場の方向へ整列させて磁化ベクトルを得た状態にする。その後、ＲＦコイルから共鳴周波数の電磁波を被検体に照射することにより、核磁気共鳴現象を発生させて被検体のプロトンの磁化ベクトルを変化させる。そして、磁気共鳴イメージング装置は、元の磁化ベクトルへ戻る被検体のプロトンからの磁気共鳴信号をＲＦコイルで受信し、その受信した磁気共鳴信号に基づいて被検体の断層面についての画像を生成する。
【０００４】
ここで、磁気共鳴信号を被検体から取得するスキャンの際に被検体が動いた場合においては、前述のようにして生成した画像に体動アーチファクトが発生する場合がある。たとえば、位相エンコード方向へ体動アーチファクトが発生して画像品質が低下する不具合を生ずる場合がある。この不具合は、ｋ空間の位相エンコード方向のマトリクスに順次対応するように、ｋ空間の周波数エンコード方向に沿って磁気共鳴信号を繰り返し時間（ＴＲ：Ｔｉｍｅ  ｏｆ  Ｒｅｐｅｔｉｔｉｏｎ）ごとにサンプリングすることに、主に起因している。
【０００５】
このような体動アーチファクトの発生を抑制するイメージング法として、ＰＲＯＰＥＬＬＥＲ  ＭＲイメージング法が知られている（たとえば、特許文献１，特許文献２，非特許文献１参照）。
【特許文献１】特開２００４−３４４１８３号公報
【特許文献２】特開２００４−２３７１０９号公報
【非特許文献１】Ｍａｇｎｅｔｉｃ  Ｒｅｓｏｎａｎｃｅ  ｉｎ  Ｍｅｄｉｃｉｎｅ  ４２：９６３−９６９，１９９９，  Ｊａｍｅｓ  Ｇ．Ｐｉｐｅ，Ｍｏｔｉｏｎ  Ｃｏｒｒｅｃｔｉｏｎ  Ｗｉｔｈ  ＰＲＯＰＥＬＬＥＲ  ＭＲＩ：Ａｐｐｌｉｃａｔｉｏｎ  ｔｏ  Ｈｅａｄ  Ｍｏｔｉｏｎ  ａｎｄ  Ｆｒｅｅ−Ｂｒｅａｔｈｉｎｇ  Ｃａｒｄｉａｃ  Ｉｍａｇｉｎｇ
【発明の開示】
【発明が解決しようとする課題】
【０００６】
しかしながら、ＰＲＯＰＥＬＬＥＲ  ＭＲイメージング法においては、位相エンコード方向の勾配が不安定な場合には、Ｔ２減衰などの影響によって、ボケた画像が生成される場合があり、十分な画像品質の画像を得ることが困難な場合があった。
【０００７】
したがって、本発明の目的は、画像品質を向上可能な磁気共鳴イメージング装置を提供することにある。
【課題を解決するための手段】
【０００８】
上記目的の達成のために本発明の磁気共鳴イメージング装置は、ＰＲＯＰＥＬＬＥＲ  ＭＲイメージング法によって、静磁場空間内の被検体からの磁気共鳴信号を得るスキャンを実施し、前記スキャンの実施により得られる前記磁気共鳴信号に基づいて前記被検体の画像を生成する磁気共鳴イメージング装置であって、ｋ空間のブレードにおいて複数のトラジェクトリに対応する磁気共鳴信号を第１のトラジェクトリ順序で繰り返し時間内に得る第１スキャンと、前記第１のトラジェクトリ順序と逆の第２のトラジェクトリ順序で前記複数のトラジェクトリに対応する磁気共鳴信号を繰り返し時間内に得る第２スキャンとを前記スキャンとして前記ＰＲＯＰＥＬＬＥＲ  ＭＲイメージング法に基づいて前記繰り返し時間で順次繰り返して実施するスキャン部と、前記第１スキャンにより得られた前記磁気共鳴信号と、前記第２スキャンにより得られた前記磁気共鳴信号とを互いに対応するように加算して加算データを生成した後に、前記生成した加算データに基づいて、前記被検体の画像を生成する画像生成部とを有する。
【発明の効果】
【０００９】
本発明によれば、画像品質を向上可能な磁気共鳴イメージング装置を提供することができる。
【発明を実施するための最良の形態】
【００１０】
＜実施形態１＞
以下より、本発明にかかる実施形態１について、図面を参照して説明する。
【００１１】
図１は、本発明にかかる実施形態１において、磁気共鳴イメージング装置１の構成を示す構成図である。
【００１２】
図１に示すように、磁気共鳴イメージング装置１は、スキャン部２と、操作コンソール部３とを有する。
【００１３】
スキャン部２について説明する。
【００１４】
スキャン部２は、図１に示すように、静磁場マグネット部１２と、勾配コイル部１３と、ＲＦコイル部１４と、ＲＦ駆動部２２と、勾配駆動部２３と、データ収集部２４と、クレードル２６とを有しており、静磁場が形成された撮影空間Ｂ内の被検体４０からの磁気共鳴信号を得るスキャンをＰＲＯＰＥＬＬＥＲ  ＭＲイメージング法に基づいて実施する。つまり、スキャン部２は、ｋ空間において原点から半径方向に対して平行な複数のトラジェクトリからなるブレードにて、その複数のトラジェクトリに対応する複数の磁気共鳴信号を繰り返し時間内に順次得るようにスキャンを実施する。そして、このブレードについてのスキャンを、ブレードがｋ空間の中心を軸にしてｋ空間に対応するように順次回転させた位置で繰り返し時間ＴＲごとに複数回繰り返す。
【００１５】
ここで、詳細については後述するが、スキャン部２は、ｋ空間のブレードにおいて並ぶ複数のトラジェクトリに対応する磁気共鳴信号を第１のトラジェクトリ順序で繰り返し時間ＴＲ内に得る第１スキャンを、ＰＲＯＰＥＬＬＥＲ  ＭＲイメージング法に基づいて繰り返し時間ＴＲで、順次、繰り返して実施する。そして、さらに、スキャン部２は、前述の第１のトラジェクトリ順序と逆の第２のトラジェクトリ順序で複数のトラジェクトリに対応する磁気共鳴信号を繰り返し時間ＴＲ内に得る第２スキャンを、ＰＲＯＰＥＬＬＥＲ  ＭＲイメージング法に基づいて繰り返し時間ＴＲで、順次、繰り返して実施する。また、ここでは、スキャン部２は、この第１スキャンをｋ空間に対応するように実施した後に、第１スキャンと逆のトラジェクトリ順序である第２スキャンをｋ空間に対応するように実施する。たとえば、スキャン部２は、ＦＳＥ（Ｆａｓｔ  Ｓｐｉｎ  Ｅｃｈｏ）法で、それぞれを順次実施する。
【００１６】
スキャン部２の各構成要素について、順次、説明する。
【００１７】
静磁場マグネット部１２は、たとえば、一対の永久磁石により構成されており、被検体ＳＵが収容される撮像空間Ｂに静磁場を形成する。ここでは、静磁場マグネット部１２は、被検体ＳＵの体軸方向に対して垂直な方向Ｚに静磁場の方向が沿うように静磁場を形成する。なお、静磁場マグネット部１２は、超伝導磁石により構成されていてもよい。
【００１８】
勾配コイル部１３は、静磁場が形成された撮像空間Ｂに勾配磁場を形成し、ＲＦコイル部１４が受信する磁気共鳴信号に位置情報を付加する。ここでは、勾配コイル部１３は、３系統からなり、撮像条件に応じて、周波数エンコード方向と位相エンコード方向とスライス選択方向とのそれぞれに勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００１９】
ＲＦコイル部１４は、図１に示すように、被検体ＳＵの撮像領域を囲むように配置される。ＲＦコイル部１４は、静磁場マグネット部１２によって静磁場が形成される撮像空間Ｂ内において、電磁波であるＲＦパルスを被検体ＳＵに送信して高周波磁場を形成し、被検体ＳＵの撮像領域におけるプロトンのスピンを励起する。そして、ＲＦコイル部１４は、その励起された被検体ＳＵ内のプロトンから発生する電磁波を磁気共鳴信号として受信する。
【００２０】
ＲＦ駆動部２２は、ＲＦコイル部１４を駆動させて撮像空間Ｂ内にＲＦパルスを送信させて高周波磁場を形成する。ＲＦ駆動部２２は、制御部３０からの制御信号に基づいて、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部１４に出力し、ＲＦパルスを送信させる。
【００２１】
勾配駆動部２３は、制御部３０からの制御信号に基づいて、勾配パルスを勾配コイル部１３に印加して駆動させ、静磁場が形成されている撮像空間Ｂ内に勾配磁場を発生させる。勾配駆動部２３は、３系統の勾配コイル部１３に対応して３系統の駆動回路（図示なし）を有する。
【００２２】
データ収集部２４は、制御部３０からの制御信号に基づいて、ＲＦコイル部１４が受信する磁気共鳴信号を収集し、データ処理部３１に出力する。データ収集部２４は、位相エンコードと周波数エンコードとが施された磁気共鳴信号をｋ空間に対応するように収集する。ここでは、データ収集部２４は、ＲＦコイル部１４が受信する磁気共鳴信号をＲＦ駆動部２２のＲＦ発振器の出力を参照信号として位相検波器が位相検波する。その後、Ａ／Ｄ変換器を用いて、このアナログ信号である磁気共鳴信号をデジタル信号に変換する。そして、データ収集部２４は、この磁気共鳴信号をメモリに記憶した後に、データ処理部３１に出力する。
【００２３】
クレードル２６は、被検体ＳＵを載置する台を有する。クレードル部２６は、制御部３０からの制御信号に基づいて、撮像空間Ｂの内部と外部との間を移動する。
【００２４】
操作コンソール部３について説明する。
【００２５】
操作コンソール部３は、図１に示すように、制御部３０と、データ処理部３１と、操作部３２と、表示部３３とを有しており、ＰＲＯＰＥＬＬＥＲ  ＭＲイメージング法に基づいて、スキャン部２にスキャンを実施させるように制御し、そのスキャン部２により実施されたスキャンにより得られる磁気共鳴信号に基づいて被検体の画像を生成すると共に、その生成した画像を表示する。
【００２６】
操作コンソール部３の各構成要素について、順次、説明する。
【００２７】
制御部３０は、コンピュータと、コンピュータを用いて所定のスキャンに対応する動作を各部に実行させるプログラムとを有する。そして、制御部３０は、操作部３２からデータ処理部３１を介して入力される操作信号に基づいて、ＲＦ駆動部２２と勾配駆動部２３とデータ収集部２４とのそれぞれに、所定のスキャンを実行させる制御信号を出力し制御を行う。
【００２８】
ここでは、制御部３０は、静磁場が形成された撮影空間Ｂ内の被検体４０からの磁気共鳴信号を得るスキャンをＰＲＯＰＥＬＬＥＲ  ＭＲイメージング法によってスキャン部２が実施するように制御する。本実施形態においては、制御部３０は、ｋ空間のブレードにおいて複数のトラジェクトリに対応する磁気共鳴信号を第１のトラジェクトリ順序で繰り返し時間内に得る第１スキャンを、ＰＲＯＰＥＬＬＥＲ  ＭＲイメージング法に基づいて繰り返し時間ＴＲで、順次、繰り返して実施するように、スキャン部２の各部を制御する。そして、さらに、制御部３０は、前述の第１のトラジェクトリ順序と逆の第２のトラジェクトリ順序で複数のトラジェクトリに対応する磁気共鳴信号を繰り返し時間ＴＲ内に得る第２スキャンを、ＰＲＯＰＥＬＬＥＲ  ＭＲイメージング法に基づいて繰り返し時間で順次繰り返して実施するように、スキャン部２の各部を制御する。ここでは、制御部３０は、ｋ空間に対応して、この第１スキャンと第２スキャンとが交互に順次実施されるように制御する。
【００２９】
データ処理部３１は、コンピュータと、そのコンピュータを用いて所定のデータ処理を実行するプログラムとを有する。データ処理部３１は、操作部３２に接続されており、操作部３２からの操作信号が入力される。そして、データ処理部３１は、制御部３０に接続されており、オペレータによって操作部３２に入力される操作信号を制御部３０に出力する。また、データ処理部３１は、データ収集部２４に接続されており、データ収集部２４により収集された磁気共鳴信号を取得し、その取得した磁気共鳴信号に対して画像処理を行って、被検体ＳＵのスライスについての画像を生成する。そして、データ処理部３１は、その生成した画像を表示部３３に出力する。
【００３０】
本実施形態においては、データ処理部３１は、ＰＲＯＰＥＬＬＥＲ  ＭＲイメージング法に基づいて、たとえば、磁気共鳴信号をグリッディング処理することによって、被検体の画像を再構成して生成する。つまり、ｋ空間において放射状に得られた磁気共鳴信号を、補間処理することによってマトリクス状に配列された磁気共鳴信号へ変換した後に、フーリエ変換処理を実施することで被検体の画像を再構成する。ここでは、データ処理部３１は、まず、スキャン部２が第１スキャンを実施することにより得られた磁気共鳴信号と、第２スキャンを実施することにより得られた磁気共鳴信号とを互いに対応するように加算して加算データを生成する。その後、テーター処理部３１は、その生成した加算データに基づいて、被検体の画像を生成する。なお、たとえば、バックプロジェクション処理により、被検体の画像を再構成して生成してもよい。
【００３１】
操作部３２は、キーボードやマウスなどの操作デバイスにより構成されている。操作部３２は、オペレータによって操作され、その操作に応じた操作信号をデータ処理部３１に出力する。ここでは、撮像目的に応じた複数のパルスシーケンスでのスキャンをオペレータが選択して入力可能なように操作部３２が構成されている。
【００３２】
表示部３３は、ＣＲＴなどの表示デバイスにより構成されている。表示部３３は、被検体ＳＵからの磁気共鳴信号に基づいて生成される被検体ＳＵのスライスについての画像を表示する。
【００３３】
以下より、上記の本発明にかかる実施形態１の磁気共鳴イメージング装置１を用いて、被検体ＳＵのスライスを撮像する際の動作について説明する。
【００３４】
被検体ＳＵのスライスを撮像する際には、まず、クレードル２６に被検体ＳＵを載置した後、被検体ＳＵの撮像領域に対応するようにＲＦコイル部１４を設置する。そして、被検体ＳＵが載置されているクレードル２６を、静磁場が形成されている撮影空間Ｂ内に移動するように、制御部３０が制御する。
【００３５】
つぎに、被検体ＳＵについてのスキャンを実施する。
【００３６】
ここでは、オペレータにより操作コンソール部３の操作部３２に入力されたスキャンを開始する開始指令に基づいて、スキャン部２がスキャンを開始する。本実施形態においては、ＰＲＯＰＥＬＬＥＲ  ＭＲイメージング法に基づいて、静磁場が形成される撮影空間Ｂ内の被検体ＳＵからの磁気共鳴信号を繰り返し時間ＴＲ内に得るスキャンを、複数のマトリクスからなるｋ空間ｋｓに対応して磁気共鳴信号が収集されるようにスキャン部２が複数回実施する。
【００３７】
図２は、本発明にかかる実施形態１において、スキャン部２がｋ空間ｋｓに対応するように磁気共鳴信号をサンプリングする動作を示す図である。図２においては、（ａ），（ｂ）、（ｃ）、（ｄ），（ｅ），（ｆ），（ｇ），（ｈ）の順で、繰り返し時間ＴＲごとに、スキャン部２がｋ空間ｋｓに対応するように磁気共鳴信号をサンプリングする動作を示している。
【００３８】
図２に示すように、スキャン部２は、ｋ空間ｋｓにおいて原点ｃから半径方向ｒに対して平行な複数のトラジェクトリｔｊからなるブレードｂにて、その複数のトラジェクトリｔｊに対応する複数の磁気共鳴信号を繰り返し時間ＴＲ内に順次得るようにスキャンを、実施する。そして、このブレードｂについてのスキャンを、ブレードｂがｋ空間の中心ｃを軸にしてｋ空間ｋｓに対応するように順次回転させた位置で繰り返し時間ＴＲごとに複数回繰り返す。
【００３９】
ここでは、図２（ａ）から（ｄ）に示すように、ｋ空間のブレードｂにおいて複数のトラジェクトリｔｊに対応する磁気共鳴信号を第１のトラジェクトリ順序Ｐ１で繰り返し時間ＴＲ内に得る第１スキャンを、ブレードｂがｋ空間ｋｓの原点ｃを軸に反時計回りに順次回転した位置で、繰り返し時間ＴＲごとに実施する。図２（ａ）から（ｄ）に示すように、たとえば、４つのブレードｂの位置で、第１スキャンを実施する。
【００４０】
具体的には、まず、図２（ａ）に示すように、ｋ空間ｋｓの周波数エンコード方向ｋｘに沿って並んでおり、ｋ空間ｋｓの位相エンコード方向ｋｙの低周波側において互いが隣り合うように位置する複数のトラジェクトリｔｊからなるブレードｂに対応して、複数の磁気共鳴信号を得るように、第１スキャンを実施する。
【００４１】
図３は、本発明にかかる実施形態１において、スキャン部２により実施される第１スキャンのパルスシーケンス図である。図３においては、ＲＦパルスＲＦと、スライス選択方向の勾配磁場Ｇｓと、位相エンコード方向の勾配磁場Ｇｐと、周波数エンコード方向の勾配磁場Ｇｆとを示している。なお、ここでは、縦軸が強度を示し、横軸が時間を示している。
【００４２】
図３に示すように、たとえば、エコートレイン数（ＥＴＬ：Ｅｃｈｏ  Ｔｒａｉｎ  Ｌｅｎｇｔｈ）が４であるＦＳＥ法によって、第１スキャンを実施する。ここでは、ブレードｂにおいて一端に位置する第１トラジェクトリｔｊ１から、第１トラジェクトリｔｊ１の反対側の他端に位置する第４トラジェクトリｔｊ４へ順次向かう第１のトラジェクトリ順序Ｐ１で、各トラジェクトリｔｊに対応する磁気共鳴信号を繰り返し時間ＴＲ内に得るように、周波数エンコード方向の勾配磁場Ｇｆと位相エンコード方向の勾配磁場Ｇｐとの印加を調整し、第１スキャンを実施する。つまり、第１トラジェクトリｔｊ１，第２トラジェクトリｔｊ２，第３トラジェクトリｔｊ３，第４トラジェクトリｔｊ４の第１のトラジェクトリ順序Ｐ１で、各トラジェクトリｔｊに対応する磁気共鳴信号を繰り返し時間ＴＲ内に得る。
【００４３】
つぎに、図２（ｂ）に示すように、ｋ空間ｋｓの周波数エンコード方向ｋｘに対して、ｋ空間ｋｓの原点ｃを軸に４５°反時計回りに回転した方向に沿って並ぶ複数のトラジェクトリｔｊからなるブレードｂに対応して、複数の磁気共鳴信号を得るように、第１スキャンを実施する。
【００４４】
つぎに、図２（ｃ）に示すように、ｋ空間ｋｓの周波数エンコード方向ｋｘに対して、ｋ空間ｋｓの原点ｃを軸に９０°反時計回りに回転した方向に沿って並んでいる複数のトラジェクトリｔｊからなるブレードｂに対応して、複数の磁気共鳴信号を得るように、第１スキャンを実施する。
【００４５】
つぎに、図２（ｄ）に示すように、ｋ空間ｋｓの周波数エンコード方向ｋｘに対して、ｋ空間ｋｓの原点ｃを軸に１３５°反時計回りに回転した方向に沿って並んでいる複数のトラジェクトリｔｊからなるブレードｂに対応して、複数の磁気共鳴信号を得るように、第１スキャンを実施する。
【００４６】
この後、図２（ｅ）から（ｈ）に示すように、第１のトラジェクトリ順序Ｐ１と逆の第２のトラジェクトリ順序Ｐ２で複数のトラジェクトリｔｊに対応する磁気共鳴信号を繰り返し時間ＴＲ内に得ることを除いて第１スキャンと同様な第２スキャンを、ブレードｂがｋ空間ｋｓの原点ｃを軸に時計回りに順次回転した位置で、繰り返し時間ＴＲごとに実施する。
【００４７】
具体的には、図２（ｅ）に示すように、ｋ空間ｋｓの周波数エンコード方向ｋｘに対して、ｋ空間ｋｓの原点ｃを軸に１３５°反時計回りに回転した方向に沿って並んでいる複数のトラジェクトリｔｊからなるブレードｂに対応して、第１のトラジェクトリ順序Ｐ１と逆の第２のトラジェクトリ順序Ｐ２で複数の磁気共鳴信号を得るように、第２スキャンを実施する。つまり、ブレードｂにおいて他端に位置する第４トラジェクトリｔｊ４から、第４トラジェクトリｔｊ４と反対側の一端に位置する第１トラジェクトリｔｊ１へ順次向かう第２のトラジェクトリ順序Ｐ２で、図２（ｅ）での第１スキャンを実施した位置と同じ位置の各トラジェクトリｔｊに対応する磁気共鳴信号を、繰り返し時間ＴＲ内に得る。すなわち、第４トラジェクトリｔｊ４，第３トラジェクトリｔｊ３，第２トラジェクトリｔｊ２，第１トラジェクトリｔｊ１の順からなる第２のトラジェクトリ順序Ｐ２で、各トラジェクトリｔｊに対応する磁気共鳴信号を繰り返し時間ＴＲ内に得る。
【００４８】
つぎに、図２（ｆ）に示すように、ｋ空間ｋｓの周波数エンコード方向ｋｘに対して、ｋ空間ｋｓの原点ｃを軸に９０°反時計回りに回転した方向に沿って並んでいる複数のトラジェクトリｔｊからなるブレードｂに対応して、複数の磁気共鳴信号を得るように、前述と同様にして、第２スキャンを実施する。
【００４９】
つぎに、図２（ｇ）に示すように、ｋ空間ｋｓの周波数エンコード方向ｋｘに対して、ｋ空間ｋｓの原点ｃを軸に４５°反時計回りに回転した方向に沿って並んでいる複数のトラジェクトリｔｊからなるブレードｂに対応して、複数の磁気共鳴信号を得るように、第２スキャンを実施する。
【００５０】
つぎに、図２（ｈ）に示すように、ｋ空間ｋｓの周波数エンコード方向ｋｘに沿って並んでいる複数のトラジェクトリｔｊからなるブレードｂに対応して、複数の磁気共鳴信号を得るように、第２スキャンを実施する。
【００５１】
上記のようにして、ＰＲＯＰＥＬＬＥＲ  ＭＲイメージング法に基づいて、第１スキャンと第２スキャンとのそれぞれにより磁気共鳴信号をスキャン部２が取得する。
【００５２】
つぎに、被検体の画像を生成する。
【００５３】
ここでは、ＰＲＯＰＥＬＬＥＲ  ＭＲイメージング法に基づいて、たとえば、磁気共鳴信号をグリッディング処理することによって、データ処理部３１が被検体の画像を再構成して生成する。
【００５４】
本実施形態においては、まず、第１のトラジェクトリ順序Ｐ１で実施された第１スキャンにより得られた磁気共鳴信号と、第１のトラジェクトリ順序Ｐ１と逆の第２のトラジェクトリ順序Ｐ２で実施された第２スキャンにより得られた磁気共鳴信号とを、互いに対応するように加算して加算データをデータ処理部３１が生成する。たとえば、図２（ａ）に示すようにして第１スキャンによって得られた磁気共鳴信号と、図２（ｈ）に示すように図２（ａ）での第１スキャンでのブレードｂの位置と同じ位置に対応するように実施された第２スキャンによって得られた磁気共鳴信号とを、トラジェクトリｔｊごとに対応させて加算し、加算データを生成する。
【００５５】
具体的には、第１スキャンによって第１トラジェクトリｔｊ１に対応するように第１のトラジェクトリ順序Ｐ１においての最初の順位で得られた磁気共鳴信号と、第２スキャンによって第１トラジェクトリｔｊ１に対応するように第２のトラジェクトリ順序Ｐ２においての最後の順位で得られた磁気共鳴信号とを加算する。また、第１スキャンによって第２トラジェクトリｔｊ２に対応するように２番目の順位で得られた磁気共鳴信号と、第２スキャンにより第２トラジェクトリｔｊ２に対応するように３番目の順位で得られた磁気共鳴信号とを加算する。また、第１スキャンによって第３トラジェクトリｔｊ３に対応するように３番目の順位で得られた磁気共鳴信号と、第２スキャンにより第３トラジェクトリｔｊ３に対応するように２番目の順位で得られた磁気共鳴信号とを加算する。そして、第１スキャンによって第４トラジェクトリｔｊ４に対応するように最後の順位で得られた磁気共鳴信号と、第２スキャンにより第４トラジェクトリｔｊ４に対応するように最初の順位で得られた磁気共鳴信号とを加算する。
【００５６】
このようにして加算データを生成した後、その生成した加算データをグリッディング処理することによって、データ処理部３１が被検体の画像を再構成して生成する。そして、データ処理部３１により生成された被検体の画像を、表示部３３が表示面に表示する。
【００５７】
以上のように、本実施形態においては、ｋ空間ｋｓのブレードｂにおいて複数のトラジェクトリｔｊに対応する磁気共鳴信号を第１のトラジェクトリ順序Ｐ１で繰り返し時間ＴＲ内に得る第１スキャンと、第１のトラジェクトリ順序Ｐ１と逆の第２のトラジェクトリ順序Ｐ２で複数のトラジェクトリｔｊに対応する磁気共鳴信号を繰り返し時間ＴＲ内に得る第２スキャンとを、ＰＲＯＰＥＬＬＥＲ  ＭＲイメージング法に基づいて、スキャン部２が繰り返し時間ＴＲで、順次、繰り返し実施する。ここでは、第１スキャンをｋ空間に対応するように実施した後に、第２スキャンを前記ｋ空間に対応するようにスキャン部２が実施する。そして、この第１スキャンにより得られた磁気共鳴信号と、この第２スキャンにより得られた磁気共鳴信号とを互いに対応するように、データ処理部３１が加算して加算データを生成した後に、その生成した加算データに基づいて、データ処理部３１が被検体の画像を生成する。
【００５８】
図４は、本発明にかかる実施形態１において、第１スキャンによって各トラジェクトリｔｊに対応して得られる磁気共鳴信号Ｓ１の強度と、第２スキャンによって各トラジェクトリｔｊに対応して得られる磁気共鳴信号Ｓ２の強度との推移を示す図である。図４においては、縦軸が信号強度Ｉを示しており、横軸がトラジェクトリｔｊの位置を示している。
【００５９】
図４に示すように、第１スキャンと第２スキャンとのそれぞれにおいては、Ｔ２減衰の影響によって各トラジェクトリｔｊ間での信号強度の差が異なる。しかし、本実施形態では、上記のように、第１スキャンと第２スキャンとのそれぞれによる磁気共鳴信号が互いに逆のトラジェクトリｔｊの順序で取得されており、この第１スキャンと第２スキャンとのそれぞれによる磁気共鳴信号をトラジェクトリｔｊごとに加算して信号強度を平均化しているために、Ｔ２減衰の影響を抑制することができる。
【００６０】
また、本実施形態においては、第１スキャンをｋ空間に対応するように実施した後に、第２スキャンを前記ｋ空間に対応するようにスキャン部２が実施するために、磁場のバラツキが発生することを抑制できるため、Ｔ２減衰の影響を効果的に抑制することができる。
【００６１】
したがって、本実施形態は、位相エンコード方向の勾配が不安定な場合であっても、ボケた画像が生成されることを防止することができ、画像品質を向上させることができる。
【００６２】
＜実施形態２＞
以下より、本発明にかかる実施形態２について、図面を参照して説明する。
【００６３】
本実施形態は、スキャン部２がｋ空間ｋｓにて磁気共鳴信号をサンプリングする動作が、実施形態１と異なる。この点を除き、本実施形態は、実施形態１と同様である。このため、重複する個所については、説明を省略する。
【００６４】
図５は、本発明にかかる実施形態２において、スキャン部２がｋ空間ｋｓにて磁気共鳴信号をサンプリングする動作を示す図である。図５においては、（ａ），（ｂ）、（ｃ）、（ｄ），（ｅ），（ｆ），（ｇ），（ｈ）の順で、繰り返し時間ＴＲごとに、スキャン部２がｋ空間ｋｓにて磁気共鳴信号をサンプリングする動作を示している。
【００６５】
図５に示すように、スキャン部２は、ｋ空間のブレードｂにおいて複数のトラジェクトリｔｊに対応する磁気共鳴信号を第１のトラジェクトリ順序Ｐ１で繰り返し時間ＴＲ内に得る第１スキャンと、第１のトラジェクトリ順序Ｐ１と逆の第２のトラジェクトリ順序Ｐ２で複数のトラジェクトリｔｊに対応する磁気共鳴信号を繰り返し時間ＴＲ内に得る第２スキャンとを、ＰＲＯＰＥＬＬＥＲ  ＭＲイメージング法に基づいて、それぞれが交互になるように、順次、実施する
【００６６】
具体的には、まず、図５（ａ）に示すように、ｋ空間ｋｓの周波数エンコード方向ｋｘに沿って並んでおり、ｋ空間ｋｓの位相エンコード方向ｋｙの低周波側において互いが隣り合うように位置する複数のトラジェクトリｔｊからなるブレードｂに対応して、複数の磁気共鳴信号を第１のトラジェクトリ順序Ｐ１で得るように、第１スキャンを実施する。たとえば、エコートレイン数（ＥＴＬ）が４であるＦＳＥ法によって、第１トラジェクトリｔｊ１，第２トラジェクトリｔｊ２，第３トラジェクトリｔｊ３，第４トラジェクトリｔｊ４の第１のトラジェクトリ順序Ｐ１で、各トラジェクトリｔｊに対応する磁気共鳴信号を繰り返し時間ＴＲ内に得る。
【００６７】
つぎに、図５（ｂ）に示すように、ｋ空間ｋｓの周波数エンコード方向ｋｘに沿って並ぶ複数のトラジェクトリｔｊからなるブレードｂに対応する複数の磁気共鳴信号を、第１のトラジェクトリ順序Ｐ１と逆の第２のトラジェクトリ順序Ｐ２で得るように、前述の第１スキャンと同様にして、第２スキャンを実施する。つまり、ブレードｂにおいて他端に位置する第４トラジェクトリｔｊ４から、第４トラジェクトリｔｊ４と反対側の一端に位置する第１トラジェクトリｔｊ１へ順次向かう第２のトラジェクトリ順序Ｐ２で、図５（ａ）での第１スキャンを実施した位置と同じ位置の各トラジェクトリｔｊに対応する磁気共鳴信号を、繰り返し時間ＴＲ内に得る。すなわち、第４トラジェクトリｔｊ４，第３トラジェクトリｔｊ３，第２トラジェクトリｔｊ２，第１トラジェクトリｔｊ１の第２のトラジェクトリ順序Ｐ２で、各トラジェクトリｔｊに対応する磁気共鳴信号を繰り返し時間ＴＲ内に得る。
【００６８】
つぎに、図５（ｃ）に示すように、ｋ空間ｋｓの周波数エンコード方向ｋｘに対して、ｋ空間ｋｓの原点ｃを軸に４５°反時計回りに回転した方向に沿って並んでいる複数のトラジェクトリｔｊからなるブレードｂに対応して、複数の磁気共鳴信号を第１のトラジェクトリ順序Ｐ１で得るように、第１スキャンを実施する。
【００６９】
つぎに、図５（ｄ）に示すように、図５（ｃ）での第１スキャンを実施した位置と同じ位置の各トラジェクトリｔｊに対応する複数の磁気共鳴信号を、第２のトラジェクトリ順序Ｐ２で繰り返し時間ＴＲ内に得る。
【００７０】
つぎに、図５（ｅ）に示すように、ｋ空間ｋｓの周波数エンコード方向ｋｘに対して、ｋ空間ｋｓの原点ｃを軸に９０°反時計回りに回転した方向に沿って並んでいる複数のトラジェクトリｔｊからなるブレードｂに対応して、複数の磁気共鳴信号を第１のトラジェクトリ順序Ｐ１で得るように、第１スキャンを実施する。
【００７１】
つぎに、図５（ｆ）に示すように、図５（ｅ）での第１スキャンを実施した位置と同じ位置の各トラジェクトリｔｊに対応する複数の磁気共鳴信号を、第２のトラジェクトリ順序Ｐ２で繰り返し時間ＴＲ内に得る。
【００７２】
つぎに、図５（ｇ）に示すように、ｋ空間ｋｓの周波数エンコード方向ｋｘに対して、ｋ空間ｋｓの原点ｃを軸に１３５°反時計回りに回転した方向に沿って並んでいる複数のトラジェクトリｔｊからなるブレードｂに対応して、複数の磁気共鳴信号を第１のトラジェクトリ順序Ｐ１で得るように、第１スキャンを実施する。
【００７３】
つぎに、図５（ｈ）に示すように、図５（ｇ）での第１スキャンを実施した位置と同じ位置の各トラジェクトリｔｊに対応する複数の磁気共鳴信号を、第２のトラジェクトリ順序Ｐ２で繰り返し時間ＴＲ内に得る。
【００７４】
上記のようにして、ＰＲＯＰＥＬＬＥＲ  ＭＲイメージング法に基づいて、第１スキャンと第２スキャンとのそれぞれにより磁気共鳴信号をスキャン部２が取得する。
【００７５】
この後、実施形態１と同様にして、被検体の画像をデータ処理部３１が生成する。そして、データ処理部３１により生成された被検体の画像を、表示部３３が表示面に表示する。
【００７６】
以上のように、本実施形態においては、第１のトラジェクトリ順序Ｐ１で磁気共鳴信号を得る第１スキャンと、第１のトラジェクトリ順序Ｐ１に対して逆の第２のトラジェクトリ順序Ｐ２で磁気共鳴信号を得る第２スキャンとを、互いが交互になるように、スキャン部２が繰り返し時間ごとに順次実施する。そして、実施形態１と同様にして、データ処理部３１が被検体の画像を生成する。このように、本実施形態では、互いに逆になるトラジェクトリ順序で磁気共鳴信号を得る第１スキャンと第２スキャンとを繰り返し時間ＴＲごとに交互に実施しているために、第１スキャンの実施と第２スキャンの実施との間の時間差が小さく、それぞれにおいて得られる磁気共鳴信号が同様なＴ２減衰の影響を受けているために、より効果的にＴ２減衰の影響を抑制することができる。したがって、本実施形態は、位相エンコード方向の勾配が不安定な場合であっても、ボケた画像が生成されることを防止することができ、画像品質を向上させることができる。
【００７７】
なお、上記の実施形態の磁気共鳴イメージング装置１は、本発明の磁気共鳴イメージング装置に相当する。また、上記の実施形態のスキャン部２は、本発明のスキャン部に相当する。また、上記の実施形態のデータ処理部３１は、本発明の画像生成部に相当する。
【００７８】
また、本発明の実施に際しては、上記した実施形態に限定されるものではなく、種々の変形例を採用することができる。
【００７９】
たとえば、上記の実施形態においては、第１のトラジェクトリ順序Ｐ１で磁気共鳴信号を得る第１スキャンと、第１のトラジェクトリ順序Ｐ１に対して逆の第２のトラジェクトリ順序Ｐ２で磁気共鳴信号を得る第２スキャンとを、図２と図５とに示すようなサンプリングの順序で実施する場合について示したが、これに限定されない。たとえば、各ブレードｂの位置に応じて、第１スキャンと第２スキャンとをランダムなサンプリング順序で実施して磁気共鳴信号を得てもよい。
【図面の簡単な説明】
【００８０】
【図１】図１は、本発明にかかる実施形態１において、磁気共鳴イメージング装置１の構成を示す構成図である。
【図２】図２は、本発明にかかる実施形態１において、スキャン部２がｋ空間ｋｓにて磁気共鳴信号をサンプリングする動作を示す図である。
【図３】図３は、本発明にかかる実施形態１において、スキャン部２により実施される第１スキャンのパルスシーケンス図である。
【図４】図４は、本発明にかかる実施形態１において、第１スキャンによって各トラジェクトリｔｊに対応して得られる磁気共鳴信号Ｓ１の強度と、第２スキャンによって各トラジェクトリｔｊに対応して得られる磁気共鳴信号Ｓ２の強度との推移を示す図である。
【図５】図５は、本発明にかかる実施形態２において、スキャン部２がｋ空間ｋｓにて磁気共鳴信号をサンプリングする動作を示す図である。
【符号の説明】
【００８１】
１：磁気共鳴イメージング装置（磁気共鳴イメージング装置）
２：スキャン部（スキャン部）、
３：操作コンソール部
１２：静磁場マグネット部、
１３：勾配コイル部、
１４：ＲＦコイル部、
２２：ＲＦ駆動部、
２３：勾配駆動部、
２４：データ収集部、
２５：制御部、
２６：クレードル、
３１：データ処理部（画像生成部）、
３２：操作部、
３３：表示部、
Ｂ：撮像空間
【図１】
2006304955.tif 000003
【図２】
2006304955.tif 000004
【図３】
2006304955.tif 000005
【図４】
2006304955.tif 000006
【図５】
2006304955.tif 000007